(57)【要約】      （修正有）【課題】杖本体が折り畳められ、全体の長さが大幅に縮められる折り畳み杖構造を提供する。【解決手段】折り畳み杖構造は、第一杖体１０と、少なくとも一つの折り畳み装置２０と、少なくとも第二杖体３０とを含む。二つの杖体の間は上記折り畳み装置２０によって連結でき、且つ該折り畳み装置２０は組み合わせ部材２１と、ワイヤーケーブル２２と、固定蓋２３と、位置限定蓋２４と、阻止部材２５とを含む。【選択図】図２
0003212932.tif 000002
【実用新案登録請求の範囲】
【請求項１】
第一杖体と、少なくとも一つの折り畳み装置と、少なくとも一つの第二杖体とを含む折り畳み杖構造であって、第一杖体と第二杖体とが上記折り畳み装置によって連結でき、且つ上記折り畳み装置は組み合わせ部材と、ワイヤーケーブルと、固定蓋と、位置限定蓋と、阻止部材とを含み、
上記第一杖体の頂点にグリップが取り付けられ、底端には開孔が形成され、上記開孔はグリップの方向へ延伸するため、第一杖体の内部に挿し込み空間が形成され、上述挿し込み空間の中にリング溝が設けられ、片側は合致孔が横向きに第一杖体を貫通させ、
上記組み合わせ部材は第二杖体に固定され、内部にはバネによって外へ押し出される位置限定ピンが設けられ、折り畳み装置のワイヤーケーブルと、固定蓋と、位置限定蓋と、阻止部材とが組み立てられ、さらに第一杖体の下段の開孔によって組み合わせ部材が挿し込み空間へと挿し込まれる時、位置限定ピンが同時に前記第一杖体の合致孔に合致され、第一杖体は第二杖体との固設が完成され、また該組み合わせ部材の頂点に結合孔が凹設され、
上記ワイヤーケーブルの一端に拡大の合致柱が設けられ、上記ワイヤーケーブルは合致柱のある一端が組み合わせ部材の結合孔の中に挿し込まれ、他の一端の貫通端は組み合わせ部材の上へと突き出され、
上記固定蓋、位置限定蓋、および阻止部材の中央にそれぞれ第一通過孔、第二通過孔、および第三通過孔が設けられ、位置限定蓋の外周には数枚の逆さフック状の弾性止め具が周りに設けられ、ワイヤーケーブルの貫通端は順番に該固定蓋の第一通過孔、位置限定蓋の第二通過孔、阻止部材の第三通過孔を貫通し、阻止部材が該ワイヤーケーブルに固結される時は、固定蓋が前記結合孔との結合を利用して固定蓋を組み合わせ部材に取り付け、合致柱と固定蓋が互いに制限止めすることによって、ワイヤーケーブルが上へ引き離されることを阻止し、第一杖体の開孔によってワイヤーケーブルの貫通端、阻止部材、および位置限定蓋が挿し込み空間へと設置され、さらに弾性止め具によってリング溝に合致させることで第一杖体と第二杖体がワイヤーケーブルによって連結され、第一杖体と第二杖体を引き離す時、ワイヤーケーブルの連結で第一杖体と第二杖体が離れないことを特徴とする折り畳み杖構造。
【請求項２】
上記第一杖体は互いに嵌め合う外管と内管とがあり、及び前記開孔と、挿し込み空間と、リング溝と、合致孔とは上記第一杖体の内管に設置されることを特徴とする請求項１に記載の折り畳み杖構造。
【請求項３】
上記ワイヤーケーブルはステンレスワイヤーであることを特徴とする請求項１に記載の折り畳み杖構造。
【請求項４】
上記組み合わせ部材の結合孔と固定蓋にそれぞれ内、外ねじ山が設けられ、該内、外ねじ山の締め付けによって、組み合わせ部材と固定蓋との間の結合が完成されることを特徴とする請求項１に記載の折り畳み杖構造。
【請求項５】
上記ネジを利用して阻止部材の横より締め付けて、また第三通過孔の中でワイヤーケーブルに対して接近して当てることで阻止部材とケーブルはスムーズに固結できることを特徴とする請求項１に記載の折り畳み杖構造。
【請求項６】
上記第二杖体の底端に杖先が結合されることを特徴とする請求項１に記載の折り畳み杖構造。
【考案の詳細な説明】
【技術分野】
【０００１】
本考案は折り畳み杖構造に関し、特に杖本体が折り畳められ、全体の長さが大幅に縮められる折り畳み杖構造に関する。
【背景技術】
【０００２】
現在、従来の杖の多くは長スティック状の杖体があり、杖体の上方にグリップが設けられる。使用時は該グリップによって握ることを提供する。杖体が地面に支えられることで、該杖で歩行を補助できる。
【０００３】
しかし、上述のような従来構造は実際に応用する中で、依然として以下の問題点が存在する。杖体は一定の長さがあるため、収納できない。使用しない時は空間を取ることで手荷物の中に収納しにくく、携帯上において非常に不便であるため、改良する余地が大いにある。
【０００４】
従って、上述の従来の杖における欠点について研究改良することは実に関係業界が努力して解決すべき目標であるため、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００５】
本考案が解決しようとする課題は、従来の杖の杖体は一定の長さがあるために折り畳めない、また使用しない時は空間を取るといった現在技術における上述の欠点を解決し、折り畳み杖構造を提供することである。
【課題を解決するための手段】
【０００６】
本考案の折り畳み杖構造は第一杖体と、少なくとも一つの折り畳み装置と、少なくとも第二杖体とを含む。二つの杖体の間は前記折り畳み装置によって連結でき、且つ該折り畳み装置は組み合わせ部材と、ワイヤーケーブルと、固定蓋と、位置限定蓋と、阻止部材とを含む。その中で、第一杖体の頂点にグリップが取り付けられ、底端には開孔が形成される。該開孔はグリップの方向へと延伸するため、第一杖体の内部に挿し込み空間が形成される。前記挿し込み空間の中にリング溝が設けられ、片側は合致孔が横向きに第一杖体を貫通させ、組み合わせ部材は第二杖体に固定され、内部にはバネによって外へ押し出される位置限定ピンが設けられる。折り畳み装置のワイヤーケーブルと、固定蓋と、位置限定蓋と、阻止部材とが組み立てられ、さらに第一杖体の下段の開孔によって組み合わせ部材が挿し込み空間へと挿し込まれた時、位置限定ピンが同時に前記第一杖体の合致孔に合致され、第一杖体は第二杖体との固設が完成される。また該組み合わせ部材の頂点に結合孔が凹設され、ワイヤーケーブルの一端に拡大した合致柱が設けられる。該ワイヤーケーブルは、合致柱のある一端が組み合わせ部材の結合孔の中に挿し込まれ、もう一端の貫通端は組み合わせ部材の上へと突き出される。固定蓋、位置限定蓋と阻止部材の中央にそれぞれ第一通過孔、第二通過孔と第三通過孔が設けられる。位置限定蓋の外周には数枚の逆さフック状の弾性止め具が周りに設けられる。ワイヤーケーブルの貫通端は順番に該固定蓋の第一通過孔、位置限定蓋の第二通過孔、阻止部材の第三通過孔を貫通し、阻止部材が該ワイヤーケーブルに固結される時は、固定蓋が前記結合孔との結合を利用して固定蓋を組み合わせ部材に取り付ける。合致柱と固定蓋が互いに制限することによって、ワイヤーケーブルが上へ引き離されることを阻止する。第一杖体の開孔によってワイヤーケーブルの貫通端、阻止部材と位置限定蓋が挿し込み空間へと設置され、さらに弾性止め具によってリング溝に合致させることで第一杖体と第二杖体がワイヤーケーブルによって連結される。第一杖体と第二杖体を引き離す時、ワイヤーケーブルの連結によって第一杖体と第二杖体が離れないため、これにより、折り畳み杖構造が得られる。
【０００７】
（一）簡単な折り畳む動作によって、杖体全体の長さが大幅に縮められ、本考案の折り畳み杖がもっと携帯しやすくまたは収納しやすいため、使用上において便利である。
【０００８】
（二）挿し込み空間の形成によって、ワイヤーケーブルの挿し込みを提供し、ワイヤーケーブルは調節できる適切の長さが保たれ、使用上において使用者の需要にかなう。
【０００９】
（三）ワイヤーケーブルは弾性縄ではないため、折り畳むまたは再び組み立てるという操作過程において杖体は勝手に開くことが避けられる。
【図面の簡単な説明】
【００１０】
【図１】図１は、本考案に係る折り畳み杖構造を示す立体組立図である。
【図２】図２は、本考案に係る折り畳み杖構造を示す立体分解図である。
【図３】図３は、本考案に係る折り畳み杖構造を示す組立断面図である。
【図４】図４は、本考案に係る折り畳み杖構造を示す取り外し状態図である。
【図５】図５は、本考案に係る折り畳み杖構造を示す折り畳み状態図である。
【考案を実施するための形態】
【００１１】
まず、図１から図３を参照されたい。本考案の折り畳み杖構造は第一杖体１０、少なくとも一つの折り畳み装置２０と少なくとも第二杖体３０を含み、組み立てて構成される。二つの杖体の間は前記折り畳み装置２０によって連結でき、また該折り畳み装置２０は組み合わせ部材２１、ワイヤーケーブル２２、固定蓋２３、位置限定蓋２４と阻止部材２５を含む。その中で、第一杖体１０の頂点にグリップ１１が取り付けられ、底端には開孔１０１が形成される。該開孔１０１はグリップ１１の方向へと延伸するため、第一杖体１０の内部に挿し込み空間１０２が形成される。前記挿し込み空間１０２の中にリング溝１０３が設けられ、片側は合致孔１０４が横向きに第一杖体１０を貫通し、組み合わせ部材２１は第二杖体３０に固定され、内部にはバネ２６によって外へ押し出される位置限定ピン２７が設けられる。折り畳み装置２０のワイヤーケーブル２２と、固定蓋２３と、位置限定蓋２４と、阻止部材２５とが組み立てられ、さらに第一杖体１０の下段の開孔１０１によって組み合わせ部材２１が挿し込み空間１０２へと挿し込まれる時、位置限定ピン２７が同時に前記第一杖体１０の合致孔１０４に合致され、第一杖体１０は第二杖体３０との固設が完成される。また該組み合わせ部材２１の頂点に結合孔２１１が凹設され、ワイヤーケーブル２２の一端に拡大の合致柱２２１が設けられる。該ワイヤーケーブル２２は、合致柱２２１のある一端が組み合わせ部材２１の結合孔２１１の中に挿し込まれ、もう一端の貫通端２２２は組み合わせ部材２１の上へと突き出される。固定蓋２３、位置限定蓋２４および阻止部材２５の中央にそれぞれ第一通過孔２３１、第二通過孔２４１および第三通過孔２５１が設けられる。位置限定蓋２４の外周には数枚の逆さフック状の弾性止め具２４２が周りに設けられる。ワイヤーケーブル２２の貫通端２２２は順番に該固定蓋２３の第一通過孔２３１、位置限定蓋２４の第二通過孔２４１、阻止部材２５の第三通過孔２５１を貫通し、阻止部材２５が該ワイヤーケーブル２２に固結される時は、固定蓋２３が前記結合孔２１１との結合を利用して固定蓋２３を組み合わせ部材２１に取り付ける。合致柱２２１と固定蓋２３とが互いに制限止めすることによって、ワイヤーケーブル２２が上へ引き離されることを阻止する。第一杖体１０の開孔１０１によってワイヤーケーブル２２の貫通端２２２、阻止部材２５と位置限定蓋２４が挿し込み空間１０２へと設置され、さらに弾性止め具２４２によってリング溝１０３に合致させることで第一杖体１０と第二杖体３０がワイヤーケーブル２２によって連結される。第一杖体１０と第二杖体３０を引き離す時、ワイヤーケーブル２２の連結によって第一杖体１０と第二杖体３０が離れない。
【００１２】
第一杖体１０は互いに嵌め合う外管１２と内管１３とがある。内管１３が外管１２の中で伸縮して調節した後に固定させることで該第一杖体１０は使用者の身長と体形の変化によって、使用者自身が必要な長さに調節できる。前記開孔１０１、挿し込み空間１０２、リング溝１０３と合致孔１０４は該第一杖体１０の内管１３に設置される。
【００１３】
ワイヤーケーブル２２はステンレスワイヤーである。
【００１４】
組み合わせ部材２１の結合孔２１１と固定蓋２３にそれぞれ内、外ねじ山が設けられ、該内、外ねじ山の締め付けによって、組み合わせ部材２１と固定蓋２３との間の結合が完成される。
【００１５】
ネジ２５２を利用して阻止部材２５の横より締め付けて、また第三通過孔２５１の中でワイヤーケーブル２２に対して接近して当てることで阻止部材２５とケーブル２２はスムーズに固結できる。上述ネジ２５２を締めたり、緩めたりすることによって、ワイヤーケーブル２２の貫通端２２２が位置限定蓋２４より突き出す長さが調節できるため、第一杖体１０と第二杖体３０を引き離す時、固定蓋２３と位置限定蓋２４間の最大間隔距離も一緒に変えられる。
【００１６】
第二杖体３０の底端に杖先３１が結合される。
【００１７】
実際に使用する時は、第一杖体１０と第二杖体３０の繋ぎ合わせによって杖となる。該杖は地面に支えて、合わせてグリップ１１が握ることを提供すれば該杖によって歩行を補助できる。合致孔１０４より突き出している位置限定ピン２７が押さえることを提供し、位置限定ピン２７全体が内縮することを連動すれば第一杖体１０と第二杖体３０が引き離せる（同時に図４を参照されたい）。ワイヤーケーブル２２の連結によって、引き離した第一杖体１０と第二杖体３０は独立の個体にばらけることがないため、取り外された杖体を紛失することが防止できる。ワイヤーケーブル２２が片側に湾曲できる特性を利用すれば、第二杖体３０が第一杖体１０に近づけて折り畳められる（同時に図５を参照されたい）ため、杖全体の長さが大幅に縮められ、杖が収納しやすく、または手荷物に収められる。位置限定蓋２４の固定を利用して、阻止部材２５が制限止めされることを提供すればワイヤーケーブル２２が杖体の取り外しと折り畳み過程で第一杖体１０の外部へと外れることが防止できる。
【００１８】
前記具体的な実施例の構造によって、以下の効果が得られる。（一）簡単な折り畳む動作によって、杖体全体の長さが大幅に縮められ、本考案の折り畳み杖がもっと携帯しやすくまたは収納しやすいため、使用上が便利である。（二）挿し込み空間１０２の形成によって、ワイヤーケーブル２２の挿し込みを提供し、ワイヤーケーブル２２は調節できる適切の長さが保たれ、使用上において使用者の需要に添えられる。（三）ワイヤーケーブル２２は弾性縄ではないため、折り畳むまたは再び組み立てるという操作過程において杖体は勝手に開くことが避けられる。
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００１９】
１０        第一杖体
１０１      開孔
１０２      挿し込み空間
１０３      リング溝
１０４      合致孔
１１        グリップ
１２        外管
１３        内管
２０        折り畳み装置
２１        組み合わせ部材
２１１      結合孔
２２        ワイヤーケーブル
２２１      合致柱
２２２      貫通端
２３        固定蓋
２３１      第一通過孔
２４        位置限定蓋
２４１      第二通過孔
２４２      弾性止め具
２５        阻止部材
２５１      第三通過孔
２５２      ネジ
２６        バネ
２７        位置限定ピン
３０        第二杖体
３１        杖先
【図１】
0003212932.tif 000003
【図２】
0003212932.tif 000004
【図３】
0003212932.tif 000005
【図４】
0003212932.tif 000006
【図５】
0003212932.tif 000007
【手続補正書】
【提出日】平成29年8月14日(2017.8.14)
【手続補正１】
【補正対象書類名】実用新案登録請求の範囲
【補正対象項目名】全文
【補正方法】変更
【補正の内容】
【実用新案登録請求の範囲】
【請求項１】
第一杖体と、少なくとも一つの折り畳み装置と、少なくとも一つの第二杖体とを含む折り畳み杖構造であって、第一杖体と第二杖体とが上記折り畳み装置によって連結でき、且つ上記折り畳み装置は組み合わせ部材と、ワイヤーケーブルと、固定蓋と、位置限定蓋と、阻止部材とを含み、
上記第一杖体の頂点にグリップが取り付けられ、底端には開孔が形成され、上記開孔はグリップの方向へ延伸するため、第一杖体の内部に挿し込み空間が形成され、上述挿し込み空間の中にリング溝が設けられ、片側は合致孔が横向きに第一杖体を貫通させ、
上記組み合わせ部材は第二杖体に固定され、内部にはバネによって外へ押し出される位置限定ピンが設けられ、折り畳み装置のワイヤーケーブルと、固定蓋と、位置限定蓋と、阻止部材とが組み立てられ、さらに第一杖体の下段の開孔によって組み合わせ部材が挿し込み空間へと挿し込まれる時、位置限定ピンが同時に前記第一杖体の合致孔に合致され、第一杖体は第二杖体との固設が完成され、また該組み合わせ部材の頂点に結合孔が凹設され、
上記ワイヤーケーブルの一端に拡大の合致柱が設けられ、上記ワイヤーケーブルは合致柱のある一端が組み合わせ部材の結合孔の中に挿し込まれ、他の一端の貫通端は組み合わせ部材の上へと突き出され、
上記固定蓋、位置限定蓋、および阻止部材の中央にそれぞれ第一通過孔、第二通過孔、および第三通過孔が設けられ、位置限定蓋の外周には数枚の逆さフック状の弾性止め具が周りに設けられ、ワイヤーケーブルの貫通端は順番に該固定蓋の第一通過孔、位置限定蓋の第二通過孔、阻止部材の第三通過孔を貫通し、阻止部材が該ワイヤーケーブルに固結される時は、固定蓋が前記結合孔との結合を利用して固定蓋を組み合わせ部材に取り付け、合致柱と固定蓋が互いに制限止めすることによって、ワイヤーケーブルが上へ引き離されることを阻止し、第一杖体の開孔によってワイヤーケーブルの貫通端、阻止部材、および位置限定蓋が挿し込み空間へと設置され、さらに弾性止め具によってリング溝に合致させることで第一杖体と第二杖体がワイヤーケーブルによって連結され、第一杖体と第二杖体を引き離す時、ワイヤーケーブルの連結で第一杖体と第二杖体が離れないことを特徴とする折り畳み杖構造。
【請求項２】
上記第一杖体は互いに嵌め合う外管と内管とがあり、及び前記開孔と、挿し込み空間と、リング溝と、合致孔とは上記第一杖体の内管に設置されることを特徴とする請求項１に記載の折り畳み杖構造。
【請求項３】
上記ワイヤーケーブルはステンレスワイヤーであることを特徴とする請求項１に記載の折り畳み杖構造。
【請求項４】
上記組み合わせ部材の結合孔と固定蓋にそれぞれ内、外ねじ山が設けられ、該内、外ねじ山の締め付けによって、組み合わせ部材と固定蓋との間の結合が完成されることを特徴とする請求項１に記載の折り畳み杖構造。
【請求項５】
ネジを利用して阻止部材の横より締め付けて、また第三通過孔の中でワイヤーケーブルに対して接近して当てることで阻止部材とケーブルはスムーズに固結できることを特徴とする請求項１に記載の折り畳み杖構造。
【請求項６】
上記第二杖体の底端に杖先が結合されることを特徴とする請求項１に記載の折り畳み杖構造。